(57)【要約】【課題】携行する道具が出し入れしやすいと共に、収容された道具が使用者の姿勢に関わらず、落下しにくい道具ホルダを提供する。【解決手段】道具ホルダ１を、上方に開口した容器１０と、使用者の腰部に装着される装着部２０と、容器１０と装着部２０とを互いに回動自在に連結する回動連結部３０と、を具備する構成とする。上記構成において、回動連結部は、円形の軌道に沿って相対的にスライドする一対の平板部材３１と、一対の平板部材３１の間に、円形の軌道と同心の円形に形成された軌道空間と、軌道空間内に配された複数の転動体と、を有する構成とすることができる。【選択図】図３
0003189333.tif 000002
【実用新案登録請求の範囲】
【請求項１】
上方に開口した容器と、
使用者の腰部に装着される装着部と、
前記容器と前記装着部とを互いに回動自在に連結する回動連結部と、
を具備することを特徴とする道具ホルダ。
【請求項２】
前記回動連結部は、
円形の軌道に沿って相対的にスライドする一対の平板部材と、
一対の該平板部材の間に、前記軌道と同心の円形に形成された軌道空間と、
該軌道空間内に配された複数の転動体と、を有する
ことを特徴とする請求項１に記載の道具ホルダ。
【考案の詳細な説明】
【技術分野】
【０００１】
本考案は、建築工事等の作業現場に道具を携行するための道具ホルダに関するものである。
【背景技術】
【０００２】
建築工事、電気工事、土木工事等の作業現場では、作業者が道具を携行するために、袋状や函状の容器をベルト等を使用して作業者の腰部に装着する道具ホルダが、多用されている。
【０００３】
このような道具ホルダは、上部が開口したものが一般的であり、道具の出し入れがし易い反面で、使用者の上体が傾いた姿勢となったとき、開口部が下方を向き、収容されていた道具が落下してしまうという問題があった。開口部を被覆する蓋体を設ければ道具の落下は抑制できるが、それでは道具の出し入れが煩雑となってしまう。つまり、従来では、道具の出し入れのし易さと道具の落下のしにくさとは、両立しないものであった。
【０００４】
そこで、容器の上部を被覆しながらも、道具の出し入れがし易いことを意図した道具ホルダが提案されている（特許文献１参照）。これは、函状の容器を被覆する覆体に円形の開口部を設け、この開口部を、放射状に切り込まれて互いに分離している複数の可撓性の舌片でシールしたものである。このような構成により、使用者の手を開口部に差し入れることによって、可撓性の舌片間の間隙を広げて道具を出し入れすることができると共に、複数の舌片が、他の道具が一緒に引き出されて落下することの抵抗となる。
【０００５】
しかしながら、上記の従来の道具ホルダは、容器が覆体で被覆され、開口部も舌片で被覆されているため、容器に収容された道具が視認しにくい。また、容器の深さより長い道具は、覆体と干渉するため収容することができない。更に、大きさが制限された開口部を介して舌片間の間隙を広げて道具を出し入れしなくてはならず、作業効率が低いものであった。そして、可撓性の舌片では、使用者の上体が傾いて開口部が下を向いたとき、道具の重力による落下に抗しきれないおそれがあった。
【先行技術文献】
【特許文献】
【０００６】
【特許文献１】特開２００９−４５６７７号公報
【考案の概要】
【考案が解決しようとする課題】
【０００７】
そこで、本考案は、上記の実情に鑑み、携行する道具が出し入れしやすいと共に、収容された道具が使用者の姿勢に関わらず落下しにくい道具ホルダの提供を、課題とするものである。
【課題を解決するための手段】
【０００８】
上記の課題を解決するため、本考案にかかる道具ホルダは、「上方に開口した容器と、使用者の腰部に装着される装着部と、前記容器と前記装着部とを互いに回動自在に連結する回動連結部と、を具備する」ものである。
【０００９】
「容器」は、道具を収容する部分であり、函状や剛性を有する袋状とすることができる。また、容器の内部が隔壁で区画された構成や、道具を収容する函状等の部分の外側に、更に道具を収容可能なポケットを有する構成の容器とすることもできる。
【００１０】
「装着部」としては、ベルトを挿通させる輪状部材、ベルトに交差させた後、面ファスナー等で両端を係合できる帯体、また、ズボンのベルト通しやベルトに引掛けられるフックを例示することができる。これらの装着部は複数であってもよく、また、複数の装着部は、平板状等の基部に取付けられていてもよい。
【００１１】
「回動連結部」としては、円形の軌道に沿って相対的にスライドする一対の平板部材を具備する構成を例示することができる。ここで、円形の軌道に沿って相対的にスライドする態様としては、一対の平板状部材の一方に設けられた円形孔の内周縁、平板状部材の一方の外形を円形とした場合の外周縁、或いはその双方に、スライド可能に嵌合している円形または円弧状の突片が他方の平板状部材に設けられている態様、一対の平板状部材の一方に設けられた円形溝と、他方の平板状部材に設けられた円形または円弧状の突条とがスライド可能に嵌合している態様、を例示することができる。また、「回動連結部」は、上記の構成に替えて、容器に対して回動自在に装着部を留め付ける軸部とすることができる。この場合、装着部が取り付けられた基部を具備し、装着部が基部を介して容器に軸部で留め付けられる構成、容器が取り付けられた基部を具備し、基部を介して軸部が容器に留め付けられる構成、或いは、装着部が取り付けられた基部と容器が取り付けられた基部との双方を有し、二つの基部を介して装着部と容器とが軸部で留め付けられる構成、を例示することができる。
【００１２】
本構成では、容器が上方に開口しているため道具の出し入れがしやすい。また、容器の上方を閉塞する部分を有していないため、容器に収容された道具が視認しやすい。更に、容器が上方に開口しているため、容器の深さよりも長い道具を収容することができる。加えて、本構成では、回動連結部を介して、使用者に固定されている装着部に対して容器が自在に回動する。そのため、使用者の上体が傾き、これに伴って装着部が傾いても、容器はそれに追随せず自身の重力によって回動することにより、開口は上方を向いたままである。従って、使用者の姿勢が変化しても、容器の開口は下方を向くことがなく常に上方を向いているため、収容されていた道具の落下が抑制される。このように、本構成によれば、道具の出し入れのし易さと道具の落下のしにくさとを、両立させることが可能となる。
【００１３】
本考案にかかる道具ホルダは、上記構成において、「前記回動連結部は、円形の軌道に沿って相対的にスライドする一対の平板部材と、一対の該平板部材の間に、前記軌道と同心の円形に形成された軌道空間と、該軌道空間内に配された複数の転動体と、を有する」ものとすることができる。
【００１４】
「軌道空間」としては、一対の平板部材の対面する面に、それぞれ断面円弧状又はコ字状の円形の溝が同心・同径に設けられており、両面の溝によって一つの空間が形成される態様を例示することができる。また、円形の溝が一対の平板部材の一方にのみ設けられており、他方の平板部材との間に空間が形成された態様であってもよい。また「軌道空間」は、円形の軌道と同心円状に複数あってもよい。
【００１５】
「転動体」は、球状、円柱状、紡錘形状等、軌道空間の周方向における断面が円形となる回転体を、使用することができる。
【００１６】
本構成では、回動連結部の一対の平板部材が円形の軌道に沿って相対的にスライドすることにより、容器と装着部とが互いに回動自在である。即ち、回動連結部が軸部を有さない構成である。ここで、軸部を有する構成では、容器に収容された道具の荷重が軸部に集中するため、軸部を高強度のものにする必要があると共に、容器及び装着部において軸部を支持する部分も高強度のものにする必要がある。これに対して、本構成では、容器と装着部が一対の平板部材によって連結されているため、容器及び装着部において一対の平板部材がそれぞれ取り付けられている部分が、荷重を面で受ける。これにより、荷重が分散するため、容器及び装着部において一対の平板部材が取り付けられる部分を特に高強度にする必要なく、容器と装着部とを回動自在に連結することができる。
【００１７】
更に、本構成では、スライドする一対の平板部材の対向する面の間を転動体が転がることにより、摩擦抵抗が大きく低下する。これにより、装着部に対して容器を滑らかに回動させることができる。
【考案の効果】
【００１８】
以上のように、本考案の効果として、携行する道具が出し入れしやすいと共に、収容された道具が使用者の姿勢に関わらず落下しにくい道具ホルダを、提供することができる。
【図面の簡単な説明】
【００１９】
【図１】本考案の一実施形態である道具ホルダの（ａ）容器側から見た斜視図、及び、（ｂ）装着部側から見た斜視図である。
【図２】図１の道具ホルダの（ａ）分解斜視図、及び、（ｂ）回動連結部の分解斜視図である。
【図３】図１の道具ホルダにおける回動連結部の動作の説明図である。
【考案を実施するための形態】
【００２０】
以下、本考案の一実施形態である道具ホルダ１について図１乃至図３を用いて説明する。本実施形態の道具ホルダ１は、上方に開口した容器１０と、使用者の腰部に装着される装着部２０と、容器１０と装着部２０とを互いに回動自在に連結する回動連結部３０と、を具備している。
【００２１】
上記構成において、回動連結部３０は、円形の軌道に沿って相対的にスライドする一対の平板部材３１と、一対の平板部材３１の間に、円形の軌道と同心の円形に形成された軌道空間と、軌道空間内に配された複数の転動体３５と、を有している。
【００２２】
より詳細に説明すると、容器１０は上方に開放した開口部１１を有する略直方体で、一つの側面は平板状の容器平面部１２であり、他の三側面は容器平面部１２より高さが低く、三側面で角部が丸みを帯びた断面コ字形を呈している。装着部２０は、平板状の基部２１と、基部２１に並んで取り付けられた二つの輪状部材２２を有している。
【００２３】
回動連結部３０の一対の平板部材３１は、同じ大きさの正方形に形成されており、双方に同じ大きさの円形孔３２が設けられている。一対の平板部材３１の一方では、円形孔３２の内周に沿って突片３３が立ち上がっており、この突片３３が他方の平板部材３１の円形孔３２の内周縁に重畳し遊嵌することにより、一対の平板部材３１がスライド可能に連結されている。すなわち、一対の平板部材３１の一方の円形孔３２の内周縁と、これに遊嵌する突片３３によって、円形の軌道が形成されている。
【００２４】
更に、一対の平板部材３１の対面する面には、それぞれ断面円弧状で同径の円形溝３４が形成されている。これらの円形溝３４は、それぞれ円形孔３２と同心である。そして、一対の平板部材３１が対面することにより、双方の円形溝３４によって、円形の軌道空間が形成されている。この軌道空間内には、１２個の球形の転動体３５と、リング状のリテーナ３６とが配されている。リテーナ３６には、転動体３５と同数の孔３７が一定間隔で設けられており、この孔３７に転動体３７が一つずつ回転可能に挿入されている。これにより、複数の転動体３５は、リテーナ３６によって間隔を保持された状態で、軌道空間内を転動する。
【００２５】
そして、一対の平板部材３１の一方が、容器１０の容器平面部１２に取り付けられており、他方の平板部材３１が装着部２０の基部２１に取り付けられている。
【００２６】
次に、道具ホルダ１の使用方法及び動作について説明する。まず、輪状部材２２にベルト４０を挿通し、ベルト４０を使用者の腰部に装着する。これにより、装着部２０が使用者の腰部に装着される。そして、容器１０に道具（図示しない）を収容することにより、道具を携行することができる。
【００２７】
使用者が上体を起こしている状態（図３（ａ）参照）から、使用者が上体を傾けると、使用者の腰部に装着された装着部２０も傾く。これに伴い、一対の平板部材３１のうち装着部２０に取り付けられた平板部材３１も傾く。これに対し、他方の平板部材３１が取り付けられている容器１０には、容器１０自身と容器１０に収容された道具に重力が作用している。そのため、容器１０側の平板部材３１は、円形の軌道に沿って、装着部２０側の平板部材３１に対して相対的に回動することにより、同じ姿勢を維持する。このとき、円形の軌道と同心の軌道空間内を転動体３５が転動することにより、一対の平板部材３１は滑らかに相対的に回動する。このように、容器１０側の平板部材３１は、装着部２０側の平板部材３１に追随して傾くことなく同じ姿勢を維持するため、容器１０は常に開口部１１が上方を向いた状態に維持される（図３（ｂ）参照）。なお、図３では、構成を明示するため、容器１０側の平板部材３１を実線で図示している。
【００２８】
以上のように、本実施形態の道具ホルダ１によれば、使用者の姿勢が変化しても、容器１０の開口部１１は下方を向くことがなく常に上方を向いているため、収容されている道具の落下が抑制されている。また、容器１０は上方に開放した開口部を有しているため、道具の出し入れがしやすく、容器に収容された道具が視認しやすいと共に、容器の深さよりも長い道具を収容することができる。
【００２９】
また、回動連結部として、一対の平板部材３１が円形の軌道に沿って相対的にスライドする構成を採用しているため、容器１０にかかる荷重は平板部材３１を介して、容器１０の容器平面部１２と装着部の２０の基部２１が面で受ける。これにより、荷重が分散するため、容器平面部１２や基部２１をさほど頑丈な構成としなくても、容器１０及び装着部２０を回動可能に連結することができる。
【００３０】
更に、道具ホルダ１では、スライドする一対の平板部材３１の対面する面の間に形成された軌道空間を、複数の転動体３５が転動することにより、一対の平板部材３１の相対的な回動に伴う摩擦抵抗が低減されている。
【００３１】
以上、本考案について好適な実施形態を挙げて説明したが、本考案は上記の実施形態に限定されるものではなく、以下に示すように、本考案の要旨を逸脱しない範囲において、種々の改良及び設計の変更が可能である。
【００３２】
例えば、本構成の道具ホルダ１において、装着部２０及び容器１０が回動する範囲を制限する構成を付加することもできる。このような構成としては、一対の平板部材３１において、円形の軌道となる円形孔３２の内周縁及び円形の突片３３に、それぞれ係止片が設けられており、スライドの途中で係止片同士が互いに係合する構成を例示することができる。これにより、周囲の物が容器へ不用意に接触した場合など、意図せず容器が大きく回動してしまうことによる道具の落下を、抑止することができる。
【符号の説明】
【００３３】
１  道具ホルダ
１０  容器
２０  装着部
３０  回動連結部
３１  平板部材
３５  転動体
【図１】
0003189333.tif 000003
【図２】
0003189333.tif 000004
【図３】
0003189333.tif 000005